(57)【要約】【課題】本発明は、既設の側溝あるいは可変側溝であっても、新設の側溝あるいは可変側溝であってもどちらにも確実、迅速に対応でき、しかも側溝敷設箇所での微妙な水流の違いにも充分対応できる側溝の底面部に流れる水の流速を可変出来る様水路ユニットを着脱自在に設置可能とした側溝を提供することを目的とするものである。【解決手段】本発明は、内側に水路が形成される側溝本体と、流れる水の水流を高水流とする高水流水路が幅方向略中央位置に形成されかつ幅方向両側からは外側に向かって張り出す張り出し壁が上り勾配の傾斜角で側溝本体の両側壁内側面近傍位置まで延出して設けられた高水流水路部と該高水流水路部の下部に設けらた載置部とを有する側溝本体とは別体として形成された水路ユニットとを備え、水路ユニットは側溝本体内部に着脱自在の交換可能にして設置される、ことを特徴とする。【選択図】          図１
2006233441.tif 000002
【特許請求の範囲】
【請求項１】
内側に水路が形成される側溝本体と、
流れる水の水流を高水流とする高水流水路が幅方向略中央位置に形成されかつ幅方向両側からは外側に向かって張り出す張り出し壁が上り勾配の傾斜角で前記側溝本体の両側壁内側面近傍位置まで延出して設けられた高水流水路部と該高水流水路部の下部に設けらた載置部とを有する前記側溝本体とは別体として形成された水路ユニットと、
を備え、
前記水路ユニットは前記側溝本体内部に着脱自在の交換可能にして設置される、
ことを特徴とする側溝。
【請求項２】
前記側溝は既設の側溝である、ことを特徴とする請求項１記載の側溝。
【請求項３】
前記高水流水路は予め、流れる水の水流に応じて形状が変更自在に形成でき、
前記形状が異なる高水流水路を有する水路ユニットが交換可能に複数形成された、
ことを特徴とする請求項１または請求項２記載の側溝。
【請求項４】
前記水路ユニットはコンクリート製品で形成された、
ことを特徴とする側溝。
【発明の詳細な説明】
【技術分野】
【０００１】
本発明は、例えばＵ字状側溝あるいは可変側溝などコンクリート製品で形成された側溝に係り、特に側溝の底面部に流れる水の流速を可変出来る水路ユニットを着脱自在に設置できる側溝に関するものである。
【背景技術】
【０００２】
従来、Ｕ字状側溝あるいは可変側溝について多くの特許出願がなされ、かつ特許されている。
【０００３】
しかしながら、従来では側溝あるいは可変側溝の内部を流れる雨水などの水の水路はその底面が画一的に平坦面となっており、いかなる水流であってもそれは変わるものではなかった。
【０００４】
しかるに、側溝の内部を流れる雨水などは、絶えず速い流れで流れているのではなく、水流が速くなるのは例えば降雨があったときに限られ、通常は比較的緩やかな流れであることが多いものであった。
【０００５】
従って、例えば長期間降雨がないときには、流れが緩やかであるために側溝中の底面に汚泥あるいはゴミなどが堆積し、その水路を遮断したり、邪魔したりすることがあった。  
そこで従来は側溝あるいは可変側溝中の底面を断面凹状の溝条にして側溝中を流れる雨水など下水の流れを速くする提案がなされている。
【０００６】
【特許文献１】特開号公報
【発明の開示】
【発明が解決しようとする課題】
【０００７】
かくして、本発明は前記提案をさらに進歩させたものであって、既設の側溝あるいは可変側溝であっても、新設の側溝あるいは可変側溝であってもどちらにも確実、迅速に対応でき、しかも側溝敷設箇所での微妙な水流の違いにも充分対応できる側溝の底面部に流れる水の流速を可変出来る様水路ユニットを着脱自在に設置可能とした側溝を提供することを目的とするものである。
【課題を解決するための手段】
【０００８】
本発明による側溝は、
内側に水路が形成される側溝本体と、
流れる水の水流を高水流とする高水流水路が幅方向略中央位置に形成されかつ幅方向両側からは外側に向かって張り出す張り出し壁が上り勾配の傾斜角で前記側溝本体の両側壁内側面近傍位置まで延出して設けられた高水流水路部と該高水流水路部の下部に設けらた載置部とを有する水路ユニットと、
を備え、
前記水路ユニットは前記側溝本体内部に着脱自在の交換可能にして設置される、
ことを特徴とし、
または、
前記側溝は既設の側溝である、ことを特徴とし、
または、
前記高水流水路は予め、流れる水の水流に応じて形状が変更自在に形成でき、
前記形状が異なる高水流水路を有する水路ユニットが交換可能に複数形成された、
ことを特徴とし、
または、
前記水路ユニットはコンクリート製品で形成された、
ことを特徴とするものである。
【発明の効果】
【０００９】
本発明による側溝であれば、
例えばＵ字状側溝・可変側溝路などの底面に本発明による水路ユニットを設置し、水量が少ないときでも前記水路ユニットの高水流水路で速い流速で水が流れ、もって底面に汚泥等が滞留せず、また既設の側溝あるいは可変側溝であっても、新設の側溝あるいは可変側溝であってもどちらにも高水流水路構築が確実、迅速に対応でき、しかも側溝敷設箇所での微妙な水流の違いにも充分対応できるなど優れた効果を奏する。
【発明を実施するための最良の形態】
【００１０】
以下本発明を図に示す実施例に基づいて説明する。
図において符号１はいわゆる断面略凹状をなす側溝を示す。
図から理解されるように、側溝１は垂直方向に間隔をおいて立設する一対の側壁２、２と該一対の側壁２、２を下端部で接続する、上面が平坦面とされた底壁３とにより構成されている。そしてこのような側溝１は通常コンクリートによって製造されている。
かかるコンクリート製の側溝１は所定の敷設箇所において長手方向へ繋げられて敷設され下水路等の水路が形成される。しかして、この従来の下水路などでの水が流れる箇所は平坦面として形成された底壁３の上面全ての面と、この底壁３上面の幅方向両端から立ち上がる一対の側壁２、２内側面との間ということになる。
ここで、前記のように敷設された側溝１は、その底壁３が幅広の平坦面として形成されているため、底壁３上を流れる水は該底壁３の幅方向全体に広がり流れようとする。
従って、流れる水量が多く、かつその水流が高く、強いときには何ら問題が生じないが、水量が少なく、かつ流れる水の水流が弱いときには水と共に移動する汚泥やゴミなどが一緒に移動しようとするとき、それら汚泥やゴミなどは重量が重く、もって水と一緒に流れることなく底壁３上に滞留してしまうこととなる。
そして、滞留した汚泥やゴミなどに次々流れてきた汚泥やゴミなどが衝突して堆積し、最終的には前記汚泥やゴミなどが大きな障害となって、水の流れさえも完全に堰止めてしまうことがあった。
そこで本発明にによる側溝はかかる事情に対処すべく創案された。
すなわち、従来からの、水の流れる平坦面たる底壁３に換えて、該底壁３上面に後述する別体の水路ユニット４を載置することにより水量が少ない場合であっても、高水流に変換できる高水流路５を形成し、よって水量が少ないときであっても汚泥やゴミなどが底壁３に滞留しないように創案したのである。
本発明による別体で形成された水路ユニット４には、流れる水の水流を速くする、すなわち高水流としうる各種凹溝条をなす形状とした高水流路５が幅方向中央位置に形成されている。そして、幅方向両側からは外側に向かって張り出す張り出し壁６、６が上り勾配の傾斜角をもって外側に形成され、かつ該張り出し壁６、６の両端部は側溝１の両側壁２、２内面近傍位置まで延出するよう形成されている。しかして、当該水路ユニット４は側溝１と同様にコンクリート製品で形成するのが好ましい。
ここで、本発明による水路ユニット４で形成される高水流路５の基本的設計手法としては、弱い水流をいかに速く、すなわちいかに高水流に変換していくかであり、そのためには流れる水の量が少ない場合に、径深を深くさせて水流を速くする手法が考えられる。
したがって、前記高水流路５の形状は図１に示すように、水の流れる幅を狭くし、かつその深さを略Ｕ字状にし、少ない水量でも速く流れるよう設計されている。従って、水の量が少なく、水流が弱いときには前記略Ｕ字状をなす高水流路５内に流れる水が集められれて流れることになり、その結果汚泥やゴミ等が滞留したり、堆積したりすることがないこととなる。
図２、図３には、逆山形をなす溝の高水流路５が示されており、図１と同様やはり水の流れる幅を狭くし、かつその深さを略Ｕ字状にして、少ない水量でも速く流れるよう設計されている。  
図４、図５、図６では高水流路５となる溝を逆三角形の頂角のように鋭角に形成したものであり、このような高水流路５であれば、さらに少ない水量でも速く流れることになる。
図７乃至図１０には高水流路５を形成する溝の底面を幅の狭いフラット面とした例が示してあり、弱い水流の中でも比較的水の流れが強い場合に適用される。
ここでいずれの水路ユニット４もコンクリート製品で形成されており、コンクリート製の側溝１とは別体として形成されていること既に述べたとおりである。そして、前記側溝１は既に敷設されているものであっても新たに敷設されるものであっても構わないものである。
特に、既に敷設されている側溝１にあっては底壁３の上面をよく清掃して汚泥やゴミなどの滞留物を予め取り除き、それから水路ユニット４を側溝１内に敷設するものとなる。この際、本発明の特徴として、たとえ底壁３の上面が浸食されて多少の凹凸がある状態であっても、前記水路ユニット４を内部に設置することにより、ほぼ新設の下水路などにリフォームできる効果もある。
尚、コンクリート製水路ユニット４の幅方向両側に設けた両張り出し壁６、６の端部と側溝１の側壁２、２内面との間は若干の隙間が生ずるが、該隙間にはモルタルなどの充填材８によって塞いでおくものとする。    
次に、図１１（ａ）、（ｂ）に示す実施例では、水路ユニット４をコンクリート製品ではなく、弾力性のあるプラスチック部材など合成樹脂材あるいは金属製部材で構成した例を示している。図１１（ａ）から理解されるように、本実施例による合成樹脂材製水路ユニット４は、合成樹脂材をその幅方向に向かって逆アーチ状に湾曲して形成してあり、かつその幅方向両端部には外側に向かって約９０度程度の角度で折り返す折り返し部７、７が各々設けられて形成されている。
ここで、前記合成樹脂材で形成された水路ユニット４の幅方向の長さはこれを内設する側溝１内部の幅方向の長さよりも長く設定されており、もって図１１（ｂ）に示すように、合成樹脂製水路ユニット４をその幅方向に向かってさらに湾曲させ、その状態で側溝１の内部底面に載置するだけ水路ユニット４の設置が完了することになる。すなわち、合成樹脂製水路ユニット４はその弾力によって幅方向に広がり、図１１（ｂ）のように簡単、確実に設置されるものとなり、モルタルなどの充填材８を必要としない。
次に、図１６を参照して、本発明の他の実施例につき説明する。既設の下水路については図から理解されるように、その長手方向に向かい若干の傾斜を有して敷設し、もって水の流れを確保する。
しかるに、何らかの事情によりその傾斜を逆方向にしたいときに、図１６に示す実施例が適用される。すなわち、既設の側溝１底壁上面上に逆方向の傾斜が得られるように、上げ底部材９を載置し、その上に水路ユニット４を設置するのである。これにより、水路ユニット４は従来の傾斜とは逆の方向へ傾斜することになる。
この様な施工は通常において多く発生することがあり、その際に、既設の側溝１自体を掘り出し、再度敷設施工することなしに逆方向への傾斜が得られる点、優れた効果を発揮する。  
【図面の簡単な説明】
【００１１】
【図１】本発明による側溝の構成を説明する構成説明図（その１）である。
【図２】本発明による側溝の構成を説明する構成説明図（その２）である。
【図３】本発明による側溝の構成を説明する構成説明図（その３）である。
【図４】本発明による側溝の構成を説明する構成説明図（その４）である。
【図５】本発明による側溝の構成を説明する構成説明図（その５）である。
【図６】本発明による側溝の構成を説明する構成説明図（その６）である。
【図７】本発明による側溝の構成を説明する構成説明図（その７）である。
【図８】本発明による側溝の構成を説明する構成説明図（その８）である。
【図９】本発明による側溝の構成を説明する構成説明図（その９）である。
【図１０】本発明による側溝の構成を説明する構成説明図（その１０）である。
【図１１】本発明による側溝の構成を説明する構成説明図（その１１）である。
【図１２】本発明による側溝の構成を説明する構成説明図（その１２）である。
【図１３】本発明による側溝の構成を説明する構成説明図（その１３）である。
【図１４】本発明による側溝の構成を説明する構成説明図（その１４）である。
【図１５】本発明による側溝の構成を説明する構成説明図（その１５）である。
【図１６】本発明による側溝の構成を説明する構成説明図（その１６）である。
【符号の説明】
【００１２】
１      側溝
２      側壁
３      底壁
４      水路ユニット
５      高水流路
６      張り出し壁
７      折り返し部
８      充填材
【図１】
2006233441.tif 000003
【図２】
2006233441.tif 000004
【図３】
2006233441.tif 000005
【図４】
2006233441.tif 000006
【図５】
2006233441.tif 000007
【図６】
2006233441.tif 000008
【図７】
2006233441.tif 000009
【図８】
2006233441.tif 000010
【図９】
2006233441.tif 000011
【図１０】
2006233441.tif 000012
【図１１】
2006233441.tif 000013
【図１２】
2006233441.tif 000014
【図１３】
2006233441.tif 000015
【図１４】
2006233441.tif 000016
【図１５】
2006233441.tif 000017
【図１６】
2006233441.tif 000018